(57)【要約】【課題】ストレーナ等のエレメントをタンク本体の上面から外し、組み立てる際に、パッキンが孔からタンク本体内への落下防止する。【解決手段】複数のリング形状のパッキン本体１と、各パッキン本体１を連結する連結部２とから成り、これをドレンサンプタンク５１のタンク本体５２の上面に開けた孔５３に、エレメント５４を組み立てる際に、エレメント５４と孔５３との間に挟む。２個のパッキン本体１を１本の連結部２で連結してあるため、何れかのパッキン本体１が孔５３に引っ掛かり落下することを防止することができる【選択図】図２
2008111455.tif 000002
【特許請求の範囲】
【請求項１】
ドレンサンプタンク（５１）のタンク本体（５２）の上面に開けた孔（５３）に、ストレーナ等のエレメント（５４）を組み立てる際に、該エレメント（５４）と前記孔（５３）との間に挟むパッキンであって、
複数のリング形状のパッキン本体（１）と、
各パッキン本体（１）を連結する連結部（２）と、から成る、ことを特徴とするドレンサンプタンクエレメント等の機器に用いるパッキン。
【請求項２】
前記パッキンは、２個のパッキン本体（１）を１本の連結部（２）で連結した、ことを特徴とする請求項１のドレンサンプタンクエレメント等の機器に用いるパッキン。
【請求項３】
前記パッキンは、４個のパッキン本体（１）を略十字形状の連結部（３）で連結した、ことを特徴とする請求項１のドレンサンプタンクエレメント等の機器に用いるパッキン。
【請求項４】
前記連結部（２，３）の板厚を、前記パッキン本体（１）の板厚より薄く形成した、ことを特徴とする請求項２又は３のドレンサンプタンクエレメント等の機器に用いるパッキン。
【発明の詳細な説明】
【技術分野】
【０００１】
本発明は、ドレンサンプタンクとストレーナ等のエレメントとの密着性を高め流体の漏洩を防止するドレンサンプタンクエレメント等の機器に用いるパッキンに関するものである。
【背景技術】
【０００２】
原子力発電所等においては、タービン配管室床ドレンサンプタンクが設置されている。発電所内で発生する廃液は、原則として回収して再使用している。そこで、このタービン配管室床ドレンサンプタンクは、タービン建物内で発生する廃液の一部を収集する。
【０００３】
ドレンサンプタンク５１は、図６の断面図に示すように、タンク本体５２の上面に孔５３を開けてある。この孔５３にストレーナ等のエレメント５４を組み立て、このストレーナから廃液を投入するようになっている。このストレーナと各孔５３との間に、図７の平面図に示すように、それぞれゴム製のリング形状のエレメントパッキン５５を挟み、廃液の漏洩を防止している。
【０００４】
このようなドレンサンプタンクに関しては、例えば特許文献１の特開２００２−１６８９８６号公報「原子炉格納容器」に示すように、原子炉圧力容器の下方に位置する床にドレンサンプタンクを装備した原子炉格納容器において、床を水密な二重床構造とし、その二重床構造内にドレンサンプタンクを装備し、二重床構造の上部床と前記ドレンサンプタンクとを溶融燃料で溶ける材料によって構成した原子炉格納容器が提案されている。
【特許文献１】特開２００２−１６８９８６号公報
【発明の開示】
【発明が解決しようとする課題】
【０００５】
しかし、上述したゴム製のリング形状のパッキン５５では、エレメント５４をタンク本体５２の上面から外す際、あるいは組み立てる際に、図６，７に示すように、このパッキン５５が孔５３に落下しやすかった。一旦パッキン５５をドレンサンプタンク５１内に落下させると、それを拾い上げることは大変煩雑な作業になりやすいという問題を有していた。
【０００６】
本発明は、かかる問題点を解決するために創案されたものである。すなわち、本発明の目的は、パッキンの構造を工夫することで、ストレーナ等のエレメントをタンク本体の上面から外し、又は組み立てる際に、パッキンが孔からタンク本体内へ落下することを防止できるドレンサンプタンクエレメント等の機器に用いるパッキンを提供することにある。
【課題を解決するための手段】
【０００７】
本発明によれば、ドレンサンプタンク（５１）のタンク本体（５２）の上面に開けた孔（５３）に、ストレーナ等のエレメント（５４）を組み立てる際に、該エレメント（５４）と前記孔（５３）との間に挟むパッキンであって、複数のリング形状のパッキン本体（１）と、各パッキン本体（１）を連結する連結部（２）と、から成る、ことを特徴とするドレンサンプタンクエレメント等の機器に用いるパッキンが提供される。
例えば、前記パッキンは、２個のパッキン本体（１）を１本の連結部（２）で連結したものである。
前記パッキンは、４個のパッキン本体（１）を略十字形状の連結部（３）で連結したものである。
前記連結部（２，３）の板厚は、前記パッキン本体（１）の板厚より薄く形成することが好ましい。
【発明の効果】
【０００８】
上記構成の発明では、ストレーナ等のエレメント（５４）をタンク本体（５２）の上面から外す際に、貼り付けているパッキンが２個のパッキン本体（１）を１本の連結部（２）で連結した構造であるために、このパッキンが孔（５３）に落下することを防止することができる。また、エレメント（５４）をタンク本体（５２）の上面に組み立てる際にも、パッキンが孔（５３）に落下することを防止することができる。
４個のパッキン本体（１）を略十字形状の連結部（３）で連結したパッキンでは、より落下防止機能が高くなる。
【０００９】
連結部（２，３）の板厚を、パッキン本体（１）の板厚より薄く形成することにより、この連結部（２，３）が弛んで、２箇所又は４箇所のパッキン本体（１）と孔（５３）との微妙な芯合わせが容易になる。
【発明を実施するための最良の形態】
【００１０】
本発明のドレンサンプタンクエレメント等の機器に用いるパッキンは、複数のリング形状のパッキン本体と、パッキン本体を連結する連結部とから成るものである。
【実施例１】
【００１１】
以下、本発明の好ましい実施の形態を図面を参照して説明する。
図１は実施例１のパッキンをドレンサンプタンクに取り付けた状態を示す平面図である。図２は実施例１のパッキンを示す平面図である。図３は実施例１のパッキンをドレンサンプタンクに取り付け、そこにストレーナ等のエレメントを組み立てた状態を示す断面図である。
実施例１のパッキンは、ドレンサンプタンク５１のタンク本体５２の上面に開けた孔５３に、ストレーナ等のエレメント５４を組み立てる際に、エレメント５４と孔５３との間に挟むパッキンである。このパッキンは、２個のリング形状のパッキン本体１を１本の連結部２で連結したものである。図示例では、２組みのパッキンを用いているが、１組み又はそれ以上用いることは勿論可能である。
【００１２】
このパッキンは、例えばネオプレーンゴム等の弾力性のある２個のリング形状のパッキン本体１と、このパッキン本体１と同じ材質のゴムから成る１本の連結部２で連結したものである。
【００１３】
本発明のパッキンは、２個のパッキン本体１を１本の連結部２で連結した構造であるために、ストレーナ等のエレメント５４をタンク本体５２の上面から外す際に、何れかのパッキン本体１が孔５３に引っ掛かり落下することを防止することができる。また、エレメント５４をタンク本体５２の上面に組み立てる際にも、パッキンが孔５３に落下することを防止できる。
【００１４】
実施例１のパッキンは、複数のリング形状のパッキン本体１と、各パッキン本体１とを連結する連結部２とから成る。その形状は、図２に示した形状に限定されない。例えば、この連結部２は、リング形状のパッキン本体１と同一の材質から成り、このパッキン本体１と一体成型されたもの、パッキン本体１とは異なる材質から成るものでも良い。連結部２は１枚の長方形状になるが、これに限定されず、例えば２本で連結する形状でも良い。
【００１５】
図４は実施例１のパッキンの変形例を示す平断面図である。
パッキン本体１と同一の材質から成る連結部２の板厚は、パッキン本体１の板厚より薄く形成することが好ましい。例えば、２個のパッキン本体１の中心位置と、タンク本体５２の上面に開けた孔５３の中心位置とのズレ、即ち「芯合わせ」がしづらいときがある。そこで、連結部２の板厚がパッキン本体１の板厚より薄く形成されていれば、この連結部２が弛んで、２箇所のパッキン本体１の微妙な芯合わせが容易になる。
【実施例２】
【００１６】
図５は実施例２のパッキンを示す平面図である。
実施例２のパッキンでは、４個のパッキン本体１を略十字形状の連結部３で連結したものである。本発明は複数のパッキン本体１を連結部２で連結した構造であって孔５３に落下し辛い構造であれば、パッキン本体１は２個に限定されない。図示するように、４個を同時に連結した構造であってもよい。このように、４個のパッキン本体１を略十字形状の連結部３で連結したパッキンでは、落下防止機能がより高くなる。
【００１７】
実施例２のパッキンについても、４箇所のパッキン本体１と同一の材質から成る連結部３の板厚を、パッキン本体１の板厚より薄く形成することが好ましい。連結部３がパッキン本体１より薄く形成されていれば、この連結部３が弛んで、４箇所のパッキン本体１の微妙な芯合わせが容易になる。
【００１８】
なお、本発明は、ストレーナ等のエレメント５４をタンク本体５２の上面から外す際に、パッキンが孔５３からタンク本体５２内への落下防止することができれば、上述した発明の実施の形態に限定されず、本発明の要旨を逸脱しない範囲で種々変更できることは勿論である。
【産業上の利用可能性】
【００１９】
本発明のドレンサンプタンクエレメント等の機器に用いるパッキンは、原子力発電所の現場機器に利用することができるが、タンク本体の上面に孔が設けられた構造であれば、その他の機器にも利用することができる。
【図面の簡単な説明】
【００２０】
【図１】実施例１のパッキンをドレンサンプタンクに取り付けた状態を示す平面図である。
【図２】実施例１のパッキンを示す平面図である。
【図３】実施例１のパッキンをドレンサンプタンクに取り付け、そこにストレーナ等のエレメントを組み立てた状態を示す断面図である。
【図４】実施例１のパッキンの変形例を示す平断面図である。
【図５】実施例２のパッキンを示す平面図である。
【図６】従来のパッキンをドレンサンプタンクに取り付け、そこにストレーナ等のエレメントを組み立てた状態を示す断面図である。
【図７】従来のパッキンをドレンサンプタンクに取り付けた状態を示す平面図である。
【符号の説明】
【００２１】
１  パッキン本体
２  連結部（２個用）
３  連結部（４個用）
５１  ドレンサンプタンク
５２  タンク本体
５３  孔
５４  エレメント
【図１】
2008111455.tif 000003
【図２】
2008111455.tif 000004
【図３】
2008111455.tif 000005
【図４】
2008111455.tif 000006
【図５】
2008111455.tif 000007
【図６】
2008111455.tif 000008
【図７】
2008111455.tif 000009